(57)【要約】【課題】光源ランプの発光を利用してプロジェクタ装置本体の操作部を照明し、同時に光源ランプの温度を制御可能なプロジェクタ装置を提案することにある。【解決手段】プロジェクタ装置１に於いて、光源ランプ１３が設置されるランプハウジング２の筐体３の側面上部周縁に、該側面に対して一定角度で傾斜する斜面３ａを一体に形成し、該斜面３ａの内部にミラーテープ１４を設置する。また、筐体３内部の上部空間に、ユーザからの入力を受け付ける操作部５を構成する基板８を設置し、該基板８の下面側に温度センサ９を設置して、該温度センサ９が光源ランプ１３の発光時の温度上昇を検知し、計測する。温度センサ９による測定温度に基づいて、制御部１６は光源ランプ１３の温度制御と点灯可能時間の管理を行う。【選択図】      図１
2006064787.tif 000002
【特許請求の範囲】
【請求項１】
上面が開口する箱型の筐体であって、側面の上部周縁に前記側面に対して一定の角度で傾斜する斜面が一体に形成され、前記斜面の内側に光を反射するミラーテープが設置されるランプハウジング筐体と、
前記ランプハウジング筐体底面内部に固定される柱状部材と、  
前記柱状部材上面に固定され、前記ランプハウジング筐体内部を上部空間と下部空間に区分し、前記ランプハウジング筐体の側面内壁との間に隙間を形成するシャーシと、
前記下部空間に設置される光源ランプと、
前記上部空間に於いて前記シャーシに設置されるユーザからの入力を受け付ける為の入力基板と、  
前記入力基板の下面に設置され、前記光源ランプの発光による温度上昇を検知し、測定する温度センサと、
前記入力基板上に設置され、前記ランプハウジング筐体の上面開口部を覆うキーパッドと、
前記温度センサと電気的に接続され、前記温度センサによる測定値を受信する制御部と、
前記制御部と前記入力基板とを接続するコネクタと、
冷却ファンと、
タイマカウンタと、
表示部と、を備えており、
前記制御部は、前記入力基板からランプ・オン信号を受信しており、前記コネクタの接続が解除された場合に、前記光源ランプの発光を禁止し、前記温度センサによる測定温度が第１設定温度よりも高い場合に、前記光源ランプを制御して発光出力を抑え、前記温度センサによる設定温度が第２設定温度よりも高い場合に、前記冷却ファンを駆動させ、前記温度センサによる設定温度が第３設定温度よりも高い場合に、前記タイマカウンタを制御して前記光源ランプの発光時間を計測させ、前記発光時間に基づいて光源ランプの点灯可能な残存時間を算出し、前記残存時間が所定の時間未満の場合に、前記表示部に警告表示を出力させることを特徴とするプロジェクタ装置。
【請求項２】
上面が開口する箱型の筐体であって、側面の上部周縁に前記側面に対して一定の角度で傾斜する斜面が一体に形成されるランプハウジング筐体と、
前記ランプハウジング筐体底面内部に固定される柱状部材と、  
前記柱状部材上面に固定され、前記ランプハウジング筐体内部を上部空間と下部空間に区分し、前記ランプハウジング筐体の側面内壁との間に隙間を形成するシャーシと、
前記下部空間に設置される光源ランプと、
前記上部空間に於いて前記シャーシに設置されるユーザからの入力を受け付ける為の入力基板と、  
前記入力基板上に設置され、前記ランプハウジング筐体の上面開口部を覆うキーパッドと、を備えることを特徴とするプロジェクタ装置。
【請求項３】
前記斜面の内側に光を反射するミラーテープが設置されることを特徴とする、請求項２に記載のプロジェクタ装置。
【請求項４】
前記プロジェクタ装置は、前記入力基板の下面に設置され、前記光源ランプの発光による温度上昇を検知し、測定する温度センサと、前記温度センサと電気的に接続され、前記温度センサによる測定値を受信する制御部と、をさらに備えることを特徴とする、請求項２乃至３の何れか一つに記載のプロジェクタ装置。  
【請求項５】
前記プロジェクタ装置は、前記制御部と前記入力基板とを接続するコネクタをさらに備
えており、
前記制御部は、前記入力基板からランプ・オン信号を受信しており、前記コネクタの接続が解除された場合に、前記光源ランプの発光を禁止することを特徴とする、請求項４に記載のプロジェクタ装置。
【請求項６】
前記制御部は、前記温度センサによる測定温度が第１設定温度よりも高い場合に、前記光源ランプを制御して発光出力を抑えることを特徴とする、請求項４乃至５の何れか一つに記載のプロジェクタ装置。
【請求項７】
前記プロジェクタ装置は、冷却ファンをさらに備えており、
前記制御部は、前記温度センサによる設定温度が第２設定温度よりも高い場合に、前記冷却ファンを駆動させることを特徴とする、請求項４乃至６の何れか一つに記載のプロジェクタ装置。
【請求項８】
前記プロジェクタ装置は、タイマカウンタと、表示部と、をさらに備えており、
前記制御部は、前記温度センサによる設定温度が第３設定温度よりも高い場合に、前記タイマカウンタを制御して前記光源ランプの発光時間を計測させ、前記発光時間に基づいて前記光源ランプの点灯可能な残存時間を算出し、前記残存時間が所定の時間未満の場合に、前記表示部に警告表示を出力させることを特徴とする、請求項４乃至７の何れか一つに記載のプロジェクタ装置。
【発明の詳細な説明】
【技術分野】
【０００１】
本発明は、プロジェクタ装置に係り、特に光源ランプの光を利用して装置本体の操作部を照明し、温度センサを用いて光源ランプを制御可能なプロジェクタ装置に関する。
【背景技術】
【０００２】
一般に、プロジェクタ装置を使用して映像を投影する際には、視聴環境を暗くする必要がある。このような暗がりでプロジェクタ装置に備えられた操作部を操作可能にするために、従来から小型ランプやＬＥＤ（発光ダイオード）を操作部の裏側に設置して、操作部の入力キーや表示文字を照明する方法が用いられてきた。しかし、小型ランプやＬＥＤを設置する場合、これらを発光させる電気回路をさらに設ける必要があり、生産コストが嵩む等の問題が生じる。
【０００３】
こうした問題を解決するために、様々な発明が提案されている。例えば、特許文献１には、光ファイバを複数本束ねた光ファイバ束を用いて操作部を照明する液晶プロジェクタ装置について記載されており、光ファイバ束の一端を光源ランプからの拡散光束を受光するために液晶ライトバルブの横に設置し、光ファイバ束のもう一端を操作部の裏側に隣接する光拡散手段に取り付ける構成が開示されている。この液晶プロジェクタ装置では、光源ランプからの拡散光束が光ファイバ束の受光部に入射すると、光ファイバ束を通って操作部の裏側に設けられた光拡散手段が発光され、操作部の入力キーや表示文字が照明される。また、特許文献１には他の実施例として、光源ランプからの拡散光束を受光する入光ミラーを液晶ライトバルブの横に設置し、該入光ミラーで反射された拡散光束を導く鏡筒を設置し、鏡筒からの光を再度反射し、装置外部に設けられた操作部を照明する出光ミラーを設置する構成についても開示されている。
【０００４】
また、上述のように光源ランプを利用して操作部を照明する場合、光源ランプの特性について考慮すべきである。例えば、通常、光源ランプは発光時に極めて高温になるが、これにより、光源ランプ付近に設置された部材は光源ランプによる発光時の発熱によって破損、変形し易い状況に置かれることになる。このような状況に対応すべく、従来からプロジェクタ装置内の温度管理に関する発明が提案されている。例えば、特許文献２には、温度センサによって偏光板が異常な温度に上昇したことが検知された場合に、光源ランプの電源を遮断して、偏光板の損傷を防止する構成が開示されている。
【特許文献１】実開平５−８４９３１号公報（第４−６頁、第１図）
【特許文献２】特開２００３−４３４４０号公報（第３−５頁、第１図）
【発明の開示】
【発明が解決しようとする課題】
【０００５】
上述の通り、特許文献１に記載のプロジェクタ装置では、新たに電気回路を設けることなく操作部を裏側から照明することが可能であるが、光ファイバ束と光拡散手段を設けなければならず、生産コストが嵩む虞がある。また、特許文献１に記載の入光ミラー、鏡筒、及び出光ミラーを用いた実施例では、必要部材が増えるので、生産工程が煩雑になり生産コストが嵩むだけではなく、各部材の設置空間を確保しなければならない
また、特許文献２に記載のプロジェクタ装置では、特定部材が異常な温度に上昇したことが検知されると光源ランプの電源を遮断する。この構成を備えるプロジェクタ装置が光源ランプの光を利用して操作部を照明する場合、温度センサが所定以上の温度を検知すると光源ランプの電源が遮断されてしまうので、操作部の照明も同時に遮断されることになる。
【０００６】
したがって、本発明の目的は、光源ランプの発光を利用してプロジェクタ装置本体の操作部を照明し、同時に光源ランプの温度を制御可能なプロジェクタ装置を提案することにある。
【課題を解決するための手段】
【０００７】
第一発明に係るプロジェクタ装置は、上面が開口する箱型の筐体であって、側面の上部周縁に側面に対して一定の角度で傾斜する斜面が一体に形成され、斜面の内側に光を反射するミラーテープが設置されるランプハウジング筐体と、ランプハウジング筐体底面内部に固定される柱状部材と、柱状部材上面に固定され、ランプハウジング筐体内部を上部空間と下部空間に区分し、ランプハウジング筐体の側面内壁との間に隙間を形成するシャーシと、下部空間に設置される光源ランプと、上部空間に於いてシャーシに設置されるユーザからの入力を受け付ける為の入力基板と、入力基板の下面に設置され、光源ランプの発光による温度上昇を検知し、測定する温度センサと、入力基板上に設置され、ランプハウジング筐体の上面開口部を覆うキーパッドと、温度センサと電気的に接続され、温度センサによる測定値を受信する制御部と、制御部と入力基板とを接続するコネクタと、冷却ファンと、タイマカウンタと、表示部と、を備えており、制御部は、入力基板からランプ・オン信号を受信しており、コネクタの接続が解除された場合に、光源ランプの発光を禁止し、前記温度センサによる測定温度が第１設定温度よりも高い場合に、光源ランプを制御して発光出力を抑え、温度センサによる設定温度が第２設定温度よりも高い場合に、冷却ファンを駆動させ、温度センサによる設定温度が第３設定温度よりも高い場合に、タイマカウンタを制御して光源ランプの発光時間を計測させ、発光時間に基づいて光源ランプの点灯可能な残存時間を算出し、残存時間が所定の時間未満の場合に、表示部に警告表示を出力させることを特徴とする。
【０００８】
このプロジェクタ装置によれば、ランプハウジング筐体の側面の上部周縁に側面に対して一定の角度で傾斜する斜面が一体に形成されているので、筐体内部の下部空間に設置される光源ランプからの光が、ランプハウジング筐体の側面内壁とシャーシとの間に形成された隙間を介して、ランプハウジング筐体の上部空間に届いた場合に、この光を斜面で反射させて入力基板とキーパッドとの間に光を導くことが出来る。さらに、斜面の内側に光を反射するミラーテープを設置することによって、光源ランプからの光の反射率を高めることが出来る。
【０００９】
また、このプロジェクタ装置によれば、入力基板の下面に設置され、光源ランプの発光による温度上昇を検知し、測定する温度センサを備えることによって、光源ランプの発光による温度上昇をより正確に検出、測定することが出来る。
【００１０】
さらに、このプロジェクタ装置によれば、制御部が入力基板からランプ・オン信号を受信しており、コネクタの接続が解除された場合に、光源ランプの発光を禁止するので、光源ランプ交換時に、コネクタの接続が解除されていれば、発光時に高温になる光源ランプを発光させることなく、安全に光源ランプの交換を実施することが出来る。
【００１１】
そして、このプロジェクタ装置によれば、温度センサによる測定温度が第１設定温度よりも高い場合に、光源ランプを制御して発光出力を抑えるので、光源ランプが極めて高温になることを防止することができ、光源ランプ自体の破損及び周辺部位の熱による変形を防止することが出来る。さらに、このプロジェクタ装置によれば、温度センサによる測定温度が第２設定温度よりも高い場合に、冷却ファンを起動させるので、冷却ファンの送風によって光源ランプを冷却し、高温になることを防止することができ、光源ランプ自体の破損及び周辺部位の熱による変形を防止することが出来る。
【００１２】
また、このプロジェクタ装置によれば、温度センサによる設定温度が第３設定温度よりも高い場合に、光源ランプの点灯可能な残存時間を算出し、残存時間が所定の時間未満の場合に、表示部に警告表示を出力させることができるので、温度センサを使用することによって、光源ランプの温度管理だけでなく、点灯可能時間の管理も行うことが出来る。
【００１３】
第２発明に係るプロジェクタ装置は、上面が開口する箱型の筐体であって、側面の上部周縁に側面に対して一定の角度で傾斜する斜面が一体に形成されるランプハウジング筐体と、ランプハウジング筐体底面内部に固定される柱状部材と、柱状部材上面に固定され、ランプハウジング筐体内部を上部空間と下部空間に区分し、ランプハウジング筐体の側面内壁との間に隙間を形成するシャーシと、下部空間に設置される光源ランプと、上部空間に於いてシャーシに設置されるユーザからの入力を受け付ける為の入力基板と、入力基板上に設置され、ランプハウジング筐体の上面開口部を覆うキーパッドと、を備えることを特徴とする。
【００１４】
このプロジェクタ装置によれば、ランプハウジング筐体の側面の上部周縁に側面に対して一定の角度で傾斜する斜面が一体に形成されているので、筐体内部の下部空間に設置される光源ランプからの光が、ランプハウジング筐体の側面内壁とシャーシとの間に形成された隙間を介して、ランプハウジング筐体の上部空間に届いた場合に、この光を斜面で反射させて入力基板とキーパッドとの間に光を導くことが出来る。
【００１５】
第３発明に係るプロジェクタ装置は、第２発明に係るプロジェクタ装置に於いて、斜面の内側に光を反射するミラーテープが設置されることを特徴とする。
【００１６】
このプロジェクタ装置によれば、斜面の内側に光を反射するミラーテープを設置することによって、光源ランプからの光を斜面で十分に反射出来ない場合に、光の反射率を高めることが出来る。
【００１７】
第４発明に係るプロジェクタ装置は、第２乃至第３発明の何れか一つに係るプロジェクタ装置に於いて、入力基板の下面に設置され、光源ランプの発光による温度上昇を検知し、測定する温度センサと、温度センサと電気的に接続され、温度センサによる測定値を受信する制御部とをさらに備えることを特徴とする。  
【００１８】
このプロジェクタ装置によれば、入力基板の下面に設置され、光源ランプの発光による温度上昇を検知し、測定する温度センサを備えることによって、光源ランプの発光による温度上昇をより正確に検出、測定することが出来る。
【００１９】
第５発明に係るプロジェクタ装置は、第４発明に係るプロジェクタ装置に於いて、制御部と前記入力基板とを接続するコネクタをさらに備えており、制御部は、入力基板からランプ・オン信号を受信しており、コネクタの接続が解除された場合に、前記光源ランプの発光を禁止することを特徴とする。
【００２０】
このプロジェクタ装置によれば、制御部が入力基板からランプ・オン信号を受信しており、コネクタの接続が解除された場合に、光源ランプの発光を禁止するので、光源ランプ交換時に、コネクタの接続が解除されていれば、発光時に高温になる光源ランプを発光させることなく、安全に光源ランプの交換を実施することが出来る。
【００２１】
第６発明に係るプロジェクタ装置は、第４乃至第５発明の何れか一つに係るプロジェクタ装置に於いて、制御部は、温度センサによる測定温度が第１設定温度よりも高い場合に、光源ランプを制御して発光出力を抑えることを特徴とする。
【００２２】
このプロジェクタ装置によれば、温度センサによる測定温度が第１設定温度よりも高い場合に、光源ランプを制御して発光出力を抑えるので、光源ランプが極めて高温になることを防止することができ、光源ランプ自体の破損及び周辺部位の熱による変形を防止することが出来る。
【００２３】
第７発明に係るプロジェクタ装置は、第４乃至第６発明の何れか一つに係るプロジェクタ装置に於いて、冷却ファンをさらに備えており、制御部は、温度センサによる設定温度が第２設定温度よりも高い場合に、冷却ファンを駆動させることを特徴とする。
【００２４】
このプロジェクタ装置によれば、温度センサによる測定温度が第２設定温度よりも高い場合に、冷却ファンを起動させるので、冷却ファンの送風によって光源ランプを冷却し、
高温になることを防止することができ、光源ランプ自体の破損及び周辺部位の熱による変形を防止することが出来る。
【００２５】
第８発明に係るプロジェクタ装置は、第４乃至第７発明の何れか一つに係るプロジェクタ装置に於いて、タイマカウンタと、表示部と、をさらに備えており、制御部は、温度センサによる設定温度が第３設定温度よりも高い場合に、タイマカウンタを制御して光源ランプの発光時間を計測させ、発光時間に基づいて光源ランプの点灯可能な残存時間を算出し、残存時間が所定の時間未満の場合に、表示部に警告表示を出力させることを特徴とする。
【００２６】
このプロジェクタ装置によれば、温度センサによる設定温度が第３設定温度よりも高い場合に、光源ランプの点灯可能な残存時間を算出し、残存時間が所定の時間未満の場合に、表示部に警告表示を出力させることができるので、温度センサを使用することによって、光源ランプの温度管理だけでなく、点灯可能時間の管理も行うことが出来る。
【発明の効果】
【００２７】
本発明によれば、光源ランプの光を利用して操作部を照明し、温度センサを用いて光源ランプの温度制御を行うことが出来る。
【発明を実施するための最良の形態】
【００２８】
[ランプハウジング構造]
図１は、本実施形態に係るプロジェクタ装置１に於けるランプハウジング２の分解斜視図であり、図２は該ランプハウジング２の断面図である。
【００２９】
図１に図示されているように、ランプハウジング２は、筐体３、背面板４、シャーシ１２、操作部５、光源ランプ１３とを備える。
【００３０】
筐体３は上面と背面とが開口し、底面の形状が略矩形の箱型筐体である。筐体３の側面上部周縁には、側面に対して一定角度で傾斜する斜面３ａが一体に形成されており、斜面３ａの端部周縁には、筐体３の側面と垂直な角度をなす上面３ｂが一体に形成されている。さらに、斜面３ａの内側には、光を反射するミラーテープ１４が設置されている。
【００３１】
背面板４は筐体３の背面側に設置され、筐体３内部に設置される光源ランプ１３の交換時等に於いて、取り外し及び取り付けが行われる。
【００３２】
シャーシ１２は筐体３の内部に設置され、筐体３の底面から垂直方向一定の距離に固定される。この時、シャーシ１２は、筐体３の底面に取り付けられた複数の柱状部材１２ｅの上面に取り付けられる。なお、柱状部材１２ｅとシャーシ１２を別部材とする構成ではなく、一体に成形される構成としても良い。そして、シャーシ１２の底面１２ａを境として、筐体３の内部空間は上部空間と下部空間に区分される。上部空間には操作部５が設置され、下部空間には光源ランプ１３が設置される。また、シャーシ１２の底面１２ａの上面形状は略矩形であり、その１辺の長さは筐体３の底面に於ける１辺の長さよりも短い。そして、底面１２ａの左右側端部上に、底面１２ａと略垂直の角度をなす側部１２ｂが２枚平行に形成されており、底面１２ａ上に於いて、側部１２ｂと一定距離の位置に側部１２ｃが２枚並行に形成されている。２枚の側部１２ｃが対面するそれぞれの面には、上面端部から底面１２ａの方向に向かって一定距離の位置に溝部１２ｄが底面１２ａと略平行に形成されている。
【００３３】
操作部５は、パッドプレート６と、キーパッド７と、基板８とを備える。パッドプレート６は、操作部５を保護するプレートであり、筐体３の上面３ｂを覆うようにしてキーパッド７の上面に重ねて設置される。キーパッド７は半透明のゴム製パッドであり、筐体３の上面開口部を覆うようにして、上面３ｂの内側に設置される。基板８は上面側に複数の入力スイッチ８aを備え、ユーザによるキー入力を受け付ける。
【００３４】
また、基板８は筐体３の底面側に温度センサ９を搭載し、この温度センサ９によって光源ランプ１３の発光時の温度上昇が検知され、測定される。さらに、基板８の前面側端部にはＦＰＣ１０が接続されており、ＦＰＣ１０の端部にはコネクタ１１が接続されている。ＦＰＣ１０は屈曲性のある回路基板（Flexible Printed Circuit）であり、コネクタ１１に連結される他のコネクタ（図示せず）を介して、制御部１６に接続されている。そして、ユーザからの入力や温度センサ９による測定温度が、コネクタ１１及び他のコネクタを介して、バス通信によって制御部１６に出力される。基板８はシャーシ１２の溝部１２ｄにスライド嵌合され、キーパッド７に覆われるようにして設置される。
【００３５】
光源ランプ１３は、プロジェクタ装置１の投影レンズから出力される画像の光源となるランプであり、シャーシ１２によって区分された筐体３の下部空間に設置される。
【００３６】
なお、本実施形態に係るプロジェクタ装置１は、透過型液晶プロジェクタでも良く、単板式ＤＬＰ（Digital Light Processing）プロジェクタでも良い。
【００３７】
[操作部照明構造]
本実施形態に係るプロジェクタ装置１の操作部照明構造について、図１乃至図２を参照して説明する。
【００３８】
図２に図示されているように、光源ランプ１３が発光すると、光源ランプ１３からの光は矢印方向に拡散する。そして、シャーシ１２の側部１２ｂと筐体３の側面との間の空間（光漏れ部１５）を介して筐体３の上面方向に導かれる。筐体３の側面上部周縁には、該側面に対して一定角度で傾斜した斜面３ａが形成され、さらに、斜面３ａの内側にはミラーテープ１４が設置されており、光漏れ部１５を介して筐体３の上面方向に向かう光は、ミラーテープ１４で反射されキーパッド７と基板８との間に確実に導かれる。
【００３９】
なお、本実施形態では、ミラーテープ１４を設置する構成としたが、ミラーテープ１４を設置しない状況に於いても、斜面３ａを設置することによって、筐体３の下部空間からの光を反射し、キーパッド７と基板８との間に光を導くことは可能である。
【００４０】
[光源ランプ制御方法に係るプロジェクタ装置１の全体構成]  
図３は、本実施形態に係るプロジェクタ装置１の光源ランプ制御に関係する概略構成図である。なお、図３で示されている構成が図１乃至２に図示されている場合には、同一番号を付与する。
【００４１】
プロジェクタ装置１は、操作部５と、コネクタ１１と、制御部１６と、タイマカウンタ１７と、メモリ１８と、ＲＯＭ１９と、表示部２０と、光源ランプ１３と，冷却ファン２１とを備える。
【００４２】
図１乃至３に図示されているように、操作部５の基板８はユーザからの入力を受け付け、コネクタ１１を介してこれを制御部１６に出力する。また、温度センサ９は、基板８の下面に設置されており、光源ランプ１３の発光に伴う温度上昇を検知し、これを測定する。温度センサ９による測定温度は、所定の処理が施され、電気信号としてコネクタ１１を介して制御部１６に出力される。
【００４３】
制御部１６は、バス通信によってコネクタ１１に接続されており、コネクタ１１を介して操作部５からの信号が入力されるとともに、タイマカウンタ１７、メモリ１８、ＲＯＭ１９、表示部２０、光源ランプ１３、冷却ファン２１を制御する。なお、制御部１６は基板８からコネクタ１１を介してランプ・オン信号（ハイ）を受信しており、接続が解除されると、ランプ・オン信号がローになる。制御部１６は、信号がローになったことを検出すると、光源ランプ１３を制御して、光源ランプ１３の発光を禁止する。
【００４４】
タイマカウンタ１７は制御部１６によって制御され、光源ランプ１３の点灯時間等を測定する。メモリ１８は、読み出し／書き込み可能な記録媒体であり、制御部１６によって
制御され、タイマカウンタ１７で計測された時間とその累積時間、及び、温度センサ９の測定温度等を記憶する。ＲＯＭ１９は、読み出し専用の記録媒体であり、温度に関する設定値や、表示部に出力する画像等のデータを記録しており、これらのデータが制御部１６の制御により読み出される。
【００４５】
表示部２０は、液晶画面とＬＥＤランプで構成されており、制御部１６による制御で、ＬＥＤランプが点灯、点滅、及び、消灯され、ＲＯＭ１９に記録されているデータが液晶画面に出力される。なお、表示部２０は、ＬＥＤランプと液晶画面以外の表示方法を採用しても良い。
【００４６】
光源ランプ１３は、制御部１６によって発光及び消灯が制御され、発光出力の調節も制御される。冷却ファン２０は、制御部１６による制御で光源ランプの発光時の温度上昇に応じて駆動される。該冷却ファン２０の送風によって、光源ランプ１３の発光による温度上昇が抑えられる。
【００４７】
[光源ランプ温度管理方法]  
図４は、本実施形態に係るプロジェクタ装置１の光源ランプ温度管理方法を示すフローチャートである。
【００４８】
ランプハウジング２に於いて、制御部１６によって光源ランプ１３が発光するように制御されると、温度センサ９が温度上昇を検知し、測定された温度に関するデータを制御部１６に出力する。制御部１６は、ＲＯＭ１９に記録された複数の設定温度と設定温度に応じて実施する制御に関するデータを読み出す。そして、温度センサ９の測定温度と第１設定温度とを比較し（Ｓ１０１）、温度センサ９の測定温度が第１設定温度よりも高い場合には、光源ランプ１３を制御して、光源ランプ１３の発光出力を低減させる（Ｓ１０２）。反対に、ステップ１０１に於いて温度センサ９の測定温度が第１設定温度よりも低い場合には、ステップ１０１に戻る。
【００４９】
ステップ１０２に於いて光源ランプ１３の出力を低減させた後、温度センサ９の測定温度が第２設定温度（第１設定温度よりも高い温度設定）に達した場合（Ｓ１０３）、制御部１６は冷却ファン２１を制御して、これを駆動させる（Ｓ１０４）。反対に、ステップ１０３に於いて、温度センサ９の測定温度が第２設定温度よりも低い場合には、さらに、温度センサ９の測定温度が第１設定温度未満か否かが判定され（Ｓ１０７）、第１設定温度未満であれば、光源ランプ１３の発光出力を低減前の状態に戻し（Ｓ１０８）、第１設定温度以上の場合にはステップ１０３に戻る。
【００５０】
ステップ１０４に於いて冷却ファン２１が駆動された後、温度センサ９の測定温度が第２設定温度未満になった場合（Ｓ１０５）、冷却ファン２１の駆動を停止し（Ｓ１０６）、ステップ１０７に進む。反対に、ステップ１０５に於いて、温度センサ９の測定温度が第２設定温度以上の場合には、ステップ１０５を繰り返す。
【００５１】
なお、本実施形態では光源ランプ１３の出力を低減するための第１設定温度と、冷却ファン２１を駆動するための第２設定温度を別々に設定したが、これらの温度を同一温度に設定し、光源ランプ１３の出力低減と冷却ファン２１の駆動を同時に行う構成としても良い。
【００５２】
[光源ランプ寿命管理方法]  
図５は、本実施形態に係るプロジェクタ装置１の光源ランプの寿命管理方法に関するフローチャートである。
【００５３】
ランプハウジング２に於いて、制御部１６によって光源ランプ１３が発光すると、制御
部１６は、ＲＯＭ１９にデフォルト値として記録されている光源ランプ１３の発光時に於ける最低温度の値を参照し、温度センサ９による測定温度と比較する（Ｓ２０１）。温度センサ９による測定温度がデフォルト値の最低温度未満の場合には、ステップ２０１を繰り返す。反対に、温度センサ９による測定温度が最低温度以上の場合には、制御部１６は、タイマカウンタ１７を制御して光源ランプ１３の点灯時間を測定する（Ｓ２０２）。そして、制御部１６はメモリ１８に記録されている光源ランプ１３の累積点灯時間に関するデータを読み出し、ＲＯＭ１９に記録されている光源ランプ１３の点灯可能時間（例えば２０００時間）を参照し、現在の点灯時間を累積点灯時間に加算し、この値を点灯可能時間から差し引く演算を実行することにより、光源ランプ１３が点灯可能な残存時間を算出する。この点灯可能な残存時間が１０時間未満の場合（Ｓ２０３）、制御部１６は表示部２０を制御して、表示部２０に警告表示を出力させる（２０４）。反対に、光源ランプ１３の点灯可能な残存時間が１０時間以上残存する場合には（Ｓ２０３）、ステップ２０３を繰り返す。
【００５４】
[作用効果]
本実施形態に係るプロジェクタ装置１によれば、筐体３の側面の上部周縁に側面に対して一定の角度で傾斜する斜面３ａが一体に形成されているので、筐体３内部の下部空間に設置される光源ランプ１３からの光が、筐体３の側面内壁とシャーシ１２との間に形成された隙間（光漏れ部１５）を介して、筐体３の上部空間に届いた場合に、この光を斜面３ａで反射させて、基板８とキーパッド７との間に光を導くことが出来る。
【００５５】
本実施形態に係るプロジェクタ装置１によれば、斜面３ａの内側に光を反射するミラーテープが設置することによって、光源ランプからの光を斜面で十分に反射出来ない場合に、光の反射率をさらに高めることが出来る。
【００５６】
本実施形態に係るプロジェクタ装置１によれば、基板８の下面に設置され、光源ランプ１３の発光による温度上昇を検知し、測定する温度センサ９を備えることによって、光源ランプ１３の発光による温度上昇をより正確に検出、測定することが出来る。
【００５７】
本実施形態に係るプロジェクタ装置１によれば、制御部１６が基板８からのランプ・オン信号を受信しており、コネクタ１１の接続が解除された場合に、光源ランプ１３の発光を禁止するので、光源ランプ１３の交換時に、コネクタ１１の接続が解除されていれば、発光時に高温になる光源ランプ１３を発光させることなく、安全に光源ランプ１３の交換を実施することが出来る。
【００５８】
本実施形態に係るプロジェクタ装置１によれば、制御部１６は、温度センサ９による測定温度が第１設定温度よりも高い場合に、光源ランプ１３を制御して発光出力を抑えるので、光源ランプ１３が極めて高温になることを防止することができ、さらには、光源ランプ１３自体の破損、及び、光源ランプ１３の発光時の熱による周辺部位の変形を防止することが出来る。
【００５９】
本実施形態に係るプロジェクタ装置１によれば、温度センサ９による測定温度が第２設定温度よりも高い場合に、冷却ファン２１を起動させるので、冷却ファン２１の送風によって光源ランプ１３を冷却し、高温になることを防止することができ、さらには、光源ランプ１３自体の破損、及び、光源ランプ１３の発光時の熱による周辺部位の変形を防止することが出来る。
【００６０】
本実施形態に係るプロジェクタ装置１によれば、温度センサ９による設定温度が第３設定温度よりも高い場合に、光源ランプ１３の点灯可能な残存時間を算出し、残存時間が所定の時間未満の場合に、表示部２０に警告表示を出力させることが出来るので、温度セン
サ９を使用することにより、光源ランプ１３の温度管理を実施するだけでなく、点灯可能時間の管理も行うことが出来る。
【図面の簡単な説明】
【００６１】
【図１】ランプハウジングの分解斜視図
【図２】ランプハウジングの断面図
【図３】プロジェクタ装置の概略構成図
【図４】光源ランプの温度管理方法に関するフローチャート
【図５】光源ランプの寿命管理方法に関するフローチャート
【符号の説明】
【００６２】
１      プロジェクタ装置
２      ランプハウジング
３      筐体    
３ａ    斜面
３ｂ    上面
４      背面板
５      操作部
６      パッドプレート
７      キーパッド
８      基板
８ａ    入力スイッチ
９      温度センサ
１０    ＦＰＣ
１１    コネクタ
１２    シャーシ
１２ａ  底面
１２ｂ  側部
１２ｃ  側部
１２ｄ  溝部
１２ｅ  柱状部材
１３    光源ランプ
１４    ミラーテープ
１５    光漏れ部
１６    制御部
１７    タイマカウンタ
１８    メモリ
１９    ＲＯＭ
２０    表示部
２１    冷却ファン
【図１】
2006064787.tif 000003
【図２】
2006064787.tif 000004
【図３】
2006064787.tif 000005
【図４】
2006064787.tif 000006
【図５】
2006064787.tif 000007